(57)【要約】【課題】投射型表示装置のレジストレーション調整の、ユーザーによる調整値の設定が容易な表示位置調整方法を提供する。【解決手段】プロジェクターは、光源から発せられた第１の色成分の光を第１の画像信号に基づいて変調する第１の光変調装置と、光源から発せられた第２の色成分の光を第２の画像信号に基づいて変調する第２の光変調装置と、前記変調された光をスクリーンに投射し、第１の画像、及び第２の画像を表示する投射部と、前記第１の画像に対する前記第２の画像の位置ずれの補正情報を設定する補正情報設定画像を表示させる表示制御部と、前記補正情報に基づいて、前記第１の画像に対する前記第２の画像の位置ずれが低減されるように補正された第２の画像信号を前記第２の光変調装置へ供給する補正部とを備え、前記補正情報設定画像は、前記補正情報が示す補正量を数値で示し、前記補正情報が示す補正方向を前記補正量が表示される位置で示す。【選択図】図１
2013105170.tif 000002
【特許請求の範囲】
【請求項１】
光源と、
前記光源から発せられた光のうち、第１の色成分の光を第１の画像信号に基づいて変調する第１の光変調装置と、
前記光源から発せられた光のうち、第２の色成分の光を第２の画像信号に基づいて変調する第２の光変調装置と、
前記第１の光変調装置、及び前記第２の光変調装置により変調された光を投射面に投射し、前記第１の色成分に対応する第１の画像、及び前記第２の色成分に対応する第２の画像を表示する投射部と、
前記第１の画像に対する前記第２の画像の位置ずれを低減させるための補正情報を設定するための補正情報設定画像を表示させる表示制御部と、
前記補正情報の入力を受け付ける入力部と、
前記補正情報に基づいて、前記第１の画像に対する前記第２の画像の位置ずれが低減されるように前記第２の画像信号の補正を行う補正部と、を備え、
前記補正情報設定画像は、前記補正情報に対応する補正量を数値で示し、前記補正情報に対応する補正方向を、前記補正量が表示される位置で示すことを特徴とするプロジェクター。
【請求項２】
請求項１に記載のプロジェクターにおいて、
前記表示制御部は、前記補正情報を表示画像内の補正対象とする位置の近傍に表示する、
ことを特徴とするプロジェクター。
【請求項３】
請求項２に記載のプロジェクターにおいて、
前記表示制御部は、複数の前記補正情報設定画像を表示する、
ことを特徴とするプロジェクター。
【請求項４】
請求項１から３のいずれか一項に記載のプロジェクターにおいて、
前記補正情報設定画像は、補正対象となる色を指定するための第１の領域、及び前記補正量及び前記補正方向を指定するための第２の領域を含む、
ことを特徴とするプロジェクター。
【請求項５】
請求項１から４のいずれか一項に記載のプロジェクターにおいて、
前記第２の領域は、第１の数値、第２の数値、第３の数値及び第４の数値を含み、
前記第１の数値、前記第２の数値、前記第３の数値、及び前記第４の数値は、他の数値に対する当該数値の相対的な位置が、前記補正方向を表す、
ことを特徴とするプロジェクター。
【請求項６】
光源と、前記光源から発せられた光のうち、第１の色成分の光を第１の画像信号に基づいて変調する第１の光変調装置と、前記光源から発せられた光のうち、第２の色成分の光を第２の画像信号に基づいて変調する第２の光変調装置と、前記第１の光変調装置、及び前記第２の光変調装置により変調された光を投射面に投射し、前記第１の色成分に対応する第１の画像、及び前記第２の色成分に対応する第２の画像を表示する投射部と、を備えたプロジェクターの制御方法であって、
前記第１の画像に対する前記第２の画像の位置ずれを低減させるための補正情報を設定するための補正情報設定画像を表示させ、
前記補正情報の入力を受け付け、
前記補正情報に基づいて、前記第１の画像に対する前記第２の画像の位置ずれが低減されるように前記第２の画像信号の補正を行い、
前記補正情報設定画像は、前記補正情報に対応する補正量を数値で示し、前記補正情報に対応する示す補正方向を、前記補正量が表示される位置で示すことを特徴とする、プロジェクターの制御方法。
【請求項７】
請求項６に記載のプロジェクターの制御方法において、前記補正情報設定画像を、表示画像内の補正対象とする位置の近傍に表示する、
ことを特徴とするプロジェクターの制御方法。
【請求項８】
請求項７に記載のプロジェクターの制御方法において、
複数の前記補正情報設定画像を表示させる、
ことを特徴とするプロジェクターの制御方法。
【請求項９】
請求項６から８のいずれか一項に記載のプロジェクターの制御方法において、
前記補正情報設定画像は、補正対象となる色を指定するための第１の領域、及び前記補正量及び前記補正方向を指定するための第２の領域を含む、
ことを特徴とするプロジェクターの制御方法。
【請求項１０】
請求項６から９のいずれか一項に記載のプロジェクターの制御方法において、
前記第２の領域は、第１の数値、第２の数値、第３の数値及び第４の数値を含み、
前記第１の数値、前記第２の数値、前記第３の数値、及び前記第４の数値は、他の数値に対する当該数値の相対的な位置が、前記補正方向を表す、
ことを特徴とするプロジェクターの制御方法。
【発明の詳細な説明】
【技術分野】
【０００１】
本発明は、プロジェクター、及びプロジェクターの制御方法に関する。
【背景技術】
【０００２】
画像信号に基づいて光変調装置への入射光を変調し、変調された光を投射することで画像表示を行う投射型表示装置（例えば、プロジェクターなど）が普及している。そうした投射型表示装置は、一般的に、ランプ及び集光鏡を有する光源と、この光源から発せられた光を集光して光変調装置に入射させる照明光学系と、入射する光を変調する光変調装置とを備えており、光変調装置からの光を投射レンズ等の投射光学系によってスクリーン等の投射面に投射するようになっている。
このような投射型表示装置のうち、赤色光（R）、緑色光（G）、及び青色光（B）の各三原色光を合成して投射を行うもの（いわゆる三板式の投射型表示装置）では、光学系（例えば、光変調装置）の位置決めの精度にばらつきが生じる場合がある。このようなばらつきが生じた場合、スクリーン上に投射された表示画像において、各原色光間で位置ずれが生じ、この位置ずれによって色ずれが発生してしまう問題があった。そこで、このような光学機構的な要因で発生する色ずれを低減するため、従来より、色ずれを電気的に補正するレジストレーション調整機構を設けるようにした投射型表示装置が提案されている。
このようなレジストレーション調整を行う際には、ユーザーが調整画面を確認し、調整する場所、調整する色、調整方向、調整量を入力する。調整画面には、ユーザーが入力した調整値が文字と符号により表示される（例えば、特許文献１）。
【先行技術文献】
【特許文献】
【０００３】
【特許文献１】特開２００９−３３３６４号公報
【発明の概要】
【発明が解決しようとする課題】
【０００４】
上記の従来技術では、調整画面に表示されるレジストレーション調整の調整値は、調整する色、調整方向（水平方向や垂直方向など）、調整量（正負の符号や数値など）で表示される。調整方向についてさらに詳細に見ると、水平方向の調整には左方向への調整と右方向への調整があり、垂直方向の調整には上方向への調整と下方向への調整があるが、調整方向と調整量の符号の組み合わせにより、左方向への調整は水平方向と「−」符号、右方向への調整は水平方向と「＋」符号、上方向への調整は垂直方向と「−」符号、下方向への調整は垂直方向と「＋」符号、により表している。
しかしながら、水平方向と「＋」符号の組み合わせ、及び水平方向と「−」符号の組み合わせのどちらが左方向、あるいは右方向への調整を表しているのか、垂直方向と「＋」符号の組み合わせ、及び垂直方向と「−」の組み合わせのどちらが上方向、あるいは下方向への調整を表しているのか、という点について、全てのユーザーに共通する定義はない。そのため、ユーザーは入力した調整値と実際に調整される方向を関連付けることが難しく、その結果レジストレーション調整が困難になるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、
光源と、
前記光源から発せられた光のうち、第１の色成分の光を第１の画像信号に基づいて変調する第１の光変調装置と、
前記光源から発せられた光のうち、第２の色成分の光を第２の画像信号に基づいて変調する第２の光変調装置と、
前記第１の光変調装置、及び前記第２の光変調装置により変調された光を投射面に投射し、前記第１の色成分に対応する第１の画像、及び前記第２の色成分に対応する第２の画像を表示する投射部と、
前記第１の画像に対する前記第２の画像の位置ずれを低減させるための補正情報を設定するための補正情報設定画像を表示させる表示制御部と、
前記補正情報の入力を受け付ける入力部と、
前記補正情報に基づいて、前記第１の画像に対する前記第２の画像の位置ずれが低減されるように前記第２の画像信号の補正を行う補正部と、を備え、
前記補正情報設定画像は、前記補正情報に対応する補正量を数値で示し、前記補正情報に対応する補正方向を、前記補正量が表示される位置で示すことを特徴とする。
【０００７】
本適用例によれば、前記補正部が用いる補正情報について、補正量を数値で、補正方向を文字の位置で示すため、補正情報に対応する補正方向及び補正量が明瞭となり、これによって、ユーザーによる補正情報の入力操作が容易となる。
【０００８】
［適用例２］上記適用例に記載のプロジェクターにおいて、
前記表示制御部は、前記補正情報を表示画像内の補正対象とする位置の近傍に表示することを特徴とする。
【０００９】
本適用例によれば、前記表示制御部は補正情報を表示画像内の補正対象とする位置の近傍に表示するため、補正情報が対象とする表示画像内の位置と、当該補正情報との対応が明瞭となり、これによって、ユーザーによる補正情報の入力操作が容易となる。
【００１０】
［適用例３］上記適用例に記載のプロジェクターにおいて、
前記表示制御部は、複数の前記補正情報設定画像を表示することを特徴とする。
【００１１】
本適用例によれば、前記表示制御部は複数の前記補正情報設定画像を表示するため、画像に含まれる複数の箇所で容易に補正を行うことができる。
【００１２】
［適用例４］上記適用例に記載のプロジェクターにおいて、
前記補正情報設定画像は、補正対象となる色を指定するための第１の領域、及び前記補正量及び前記補正方向を指定するための第２の領域を含むことを特徴とする。
【００１３】
本適用例によれば、補正対象となる色を指定するための第１の領域、及び前記補正量及び前記補正方向を指定するための第２の領域を前記補正情報設定画像が含んでいるため、補正対象となる色の指定や、前記補正量及び前記補正方向の指定を容易に行うことができる。
【００１４】
［適用例５］上記適用例に記載のプロジェクターにおいて、
前記第２の領域は、第１の数値、第２の数値、第３の数値及び第４の数値を含み、前記第１の数値、前記第２の数値、前記第３の数値、及び前記第４の数値は、他の数値に対する当該数値の相対的な位置が、前記補正方向を表すことを特徴とする。
【００１５】
本適用例によれば、前記第２の領域に含まれる数値は、それぞれの相対的な位置が前記補正方向を表しているため、どのような補正が行われるかをユーザーが直感的に把握することができる。
【００１６】
［適用例６］また、本適用例に係るプロジェクターの制御方法は、
光源と、前記光源から発せられた光のうち、第１の色成分の光を第１の画像信号に基づいて変調する第１の光変調装置と、前記光源から発せられた光のうち、第２の色成分の光を第２の画像信号に基づいて変調する第２の光変調装置と、前記第１の光変調装置、及び前記第２の光変調装置により変調された光を投射面に投射し、前記第１の色成分に対応する第１の画像、及び前記第２の色成分に対応する第２の画像を表示する投射部と、を備えたプロジェクターの制御方法であって、
前記第１の画像に対する前記第２の画像の位置ずれを低減させるための補正情報を設定するための補正情報設定画像を表示させ、
前記補正情報の入力を受け付け、
前記補正情報に基づいて、前記第１の画像に対する前記第２の画像の位置ずれが低減されるように前記第２の画像信号の補正を行い、
前記補正情報設定画像は、前記補正情報に対応する補正量を数値で示し、前記補正情報に対応する補正方向を、前記補正量が表示される位置で示すことを特徴とする。
【００１７】
本適用例によれば、前記補正部が用いる補正情報について、補正量を数値で、補正方向を文字の位置で示すため、補正情報に対応する補正方向及び補正量が明瞭となり、これによって、ユーザーによる補正情報の入力操作が容易となる。
［適用例７］上記適用例に記載のプロジェクターの制御方法において、
前記補正情報設定画像を、表示画像内の補正対象とする位置の近傍に表示することを特徴とする。
【００１８】
本適用例によれば、補正情報を表示画像内の補正対象とする位置の近傍に表示するため、補正情報が対象とする表示画像内の位置と、当該補正情報との対応が明瞭となり、これによって、ユーザーによる補正情報の入力操作が容易となる。
【００１９】
［適用例８］上記適用例に記載のプロジェクターの制御方法において、
複数の前記補正情報設定画像を表示させることを特徴とする。
【００２０】
本適用例によれば、複数の前記補正情報設定画像を表示するため、画像に含まれる複数の箇所で容易に補正を行うことができる。
【００２１】
［適用例９］上記適用例に記載のプロジェクターの制御方法において、
前記補正情報設定画像は、補正対象となる色を指定するための第１の領域、及び前記補正量及び前記補正方向を指定するための第２の領域を含むことを特徴とする。
【００２２】
本適用例によれば、補正対象となる色を指定するための第１の領域、及び前記補正量及び前記補正方向を指定するための第２の領域を前記補正情報設定画像が含んでいるため、補正対象となる色の指定や、前記補正量及び前記補正方向の指定を容易に行うことができる。
【００２３】
［適用例１０］上記適用例に記載のプロジェクターの制御方法において、
前記第２の領域は、第１の数値、第２の数値、第３の数値及び第４の数値を含み、前記第１の数値、前記第２の数値、前記第３の数値、及び前記第４の数値は、他の数値に対する当該数値の相対的な位置が、前記補正方向を表すことを特徴とする。
本適用例によれば、前記第２の領域に含まれる数値は、それぞれの相対的な位置が前記補正方向を表しているため、どのような補正が行われるかをユーザーが直感的に把握することができる。
【図面の簡単な説明】
【００２４】
【図１】本発明に係る第１実施形態における表示装置の構成例のブロック図。
【図２】レジストレーション調整部による調整処理の動作例のフロー図。
【図３】画像の反転、および、回転がない場合の投射型表示装置の使用例を表す斜視図。
【図４】レジストレーション調整を行う前の表示画像の一例を表す図。
【図５】特定の原色光に位置ずれが生じている場合の表示画像の例を拡大して表す図。
【図６】レジストレーション調整の表示画像、および、調整用メニュー画像の設定例の一例を表す図。
【図７】図４に示した表示画像においてレジストレーション調整を行った後の表示画像を拡大して表す図。
【図８】本発明の第２実施形態における投射型表示装置の使用例を表す斜視図。
【図９】本発明の第２実施形態における、画像反転処理後の投射型表示装置の使用例を表す斜視図。
【図１０】本発明の第２実施形態においてレジストレーション調整を行う前の表示画像の一例を表す図。
【図１１】本発明の第２実施形態において特定の原色光に位置ずれが生じている場合の表示画像の例を拡大して表す図。
【図１２】本発明の第２実施形態におけるにおけるレジストレーション調整の表示画像、および、調整用メニュー画像の設定例の一例を表す図。
【図１３】本発明の第２実施形態における画像反転機能の設定例を表す図。
【図１４】本発明の第２実施形態における画像反転機能の設定例を表す図。
【図１５】本発明の第３実施形態における投射型表示装置の使用例を表す斜視図。
【図１６】本発明の第３実施形態において、画像回転処理後の投射型表示装置の使用例を表す斜視図。
【図１７】本発明の第３実施形態においてレジストレーション調整を行う前の表示画像の一例を表す図。
【図１８】本発明の第３実施形態において特定の原色光に位置ずれが生じている場合の表示画像の例を拡大して表す図。
【図１９】本発明の第３実施形態におけるレジストレーション調整の表示画像、および、調整用メニュー画像の設定例の一例を表す図。
【図２０】本発明の第３実施形態における画像回転機能の設定例を表す図。
【図２１】本発明の第３実施形態における画像回転機能の設定例を表す図。
【図２２】本発明に係る第４実施形態におけるレジストレーション調整を行う前の表示画像の一例を表す図。
【図２３】本発明の第４実施形態における、レジストレーション調整の過程を示す表示画像、および、調整用メニュー画像の設定例の一例を表す図。
【図２４】図２３から移行したレジストレーション調整の過程を示す表示画像、および、調整用メニュー画像の設定例の一例を表す図。
【図２５】図２４から移行したレジストレーション調整の過程を示す表示画像、および、調整用メニュー画像の設定例の一例を表す図。
【発明を実施するための形態】
【００２５】
（第１実施形態）
【００２６】
図１は、本発明の一実施の形態に係る投射型表示装置（プロジェクター１）の全体構成を表したものである。このプロジェクター１は、外部から供給される入力画像信号（入力画像データ）Dinに基づいてスクリーン３等の投射面上に画像（表示画像３１）を投射し、画像表示を行う。
【００２７】
プロジェクター１は、画像表示部１０、制御部２０及び入力操作部３００を有する。画像表示部１０は、光源装置１１０と、光変調部１２０と、投射光学系（投射部）１４０とを含む。
【００２８】
光源装置１１０は、光源１１２と、１対のレンズアレイ１１４と、重畳レンズ１１６とを含んで構成される。光変調部１２０は、ダイクロイックミラー１２２、１２４、反射ミラー１２６、１２８、１３０、リレーレンズ１３２、１３４、光変調装置としての液晶パネル１３６Ｒ、１３６Ｇ、１３６Ｂ、クロスダイクロイックプリズム１３８を含む。液晶パネル１３６Ｒ、１３６Ｇ、１３６Ｂのそれぞれは、電気光学物質である液晶を一対の透明なガラス基板に密閉封入した透過型の液晶パネルであり、例えばポリシリコン薄膜トランジスターをスイッチング素子として、入射された光を変調する。ダイクロイックミラー１２２は、光源装置１１０からの光を、赤色光（Ｒ）とそれ以外の色成分の光（緑色光（Ｇ）及び青色光（Ｂ））とに分離する。ダイクロイックミラー１２２によって分離された赤色光は、反射ミラー１２６によって液晶パネル１３６Ｒの入射面に導かれる。ダイクロイックミラー１２２によって分離された緑色光及び青色光は、ダイクロイックミラー１２４によって緑色光と青色光とに分離される。ダイクロイックミラー１２４によって分離された緑色光は、液晶パネル１３６Ｇの入射面に入射される。ダイクロイックミラー１２４によって分離された青色光は、リレーレンズ１３２、１３４を介して、反射ミラー１２８、１３０によって液晶パネル１３６Ｂの入射面に導かれる。
【００２９】
液晶パネル１３６Ｒ（第１の光変調装置）は、光源１１２から発せられた光のうち、赤色成分の色光（第１の色成分の光）を、赤色成分に対応する画像データ（第１の画像信号）に基づいて変調する。液晶パネル１３６Ｇ（第２の光変調装置）は、光源１１２から発せられた光のうち、緑色成分の光（第２の色成分の光）を、緑色成分に対応する画像データ（第２の画像信号）に基づいて変調する。液晶パネル１３６Ｂ（第３の光変調装置）は、光源１１２から発せられた光のうち、青色成分の色光（第３の色成分の光）を、青色成分に対応する画像データ（第３の画像信号）に基づいて変調する。これらの液晶パネル１３６Ｒ、１３６Ｇ、１３６Ｂによって変調された各色光は、クロスダイクロイックプリズム１３８によって合成され、投射光学系１４０によって拡大されスクリーン３上で結像する。このように、投射光学系１４０は、液晶パネル１３６Ｒ、液晶パネル１３６Ｇ、及び液晶パネル１３６Ｂにより変調された光をスクリーンに投射し、赤色成分に対応する画像（第１の画像）、緑色成分に対応する画像（第２の画像）及び青色成分に対応する画像（第３の画像）が投射面上で重畳した状態で観察されるように表示する。
【００３０】
このようにプロジェクター１においては、光源装置１１０から射出された光を、赤色成分の色光（第１の色成分の光）、緑色成分の色光（第２の色成分の光）及び青色成分の色光（第３の色成分の光）に分離して、それぞれの色光を異なる光変調装置によって変調する。そして、各変調装置によって変調された赤色成分の色光、緑色成分の色光及び青色成分の色光をスクリーン３上で重ねて表示することで、カラー画像を表現している。
以下の説明では、スクリーン３上に投射される画像を構成する第１の画像、第２の画像及び第３の画像のいずれかについて、又はこれらを総称して「色成分画像」と称する場合がある。この「色成分画像」は、特定の色成分の色光によって表される画像である。プロジェクター１が投射する画像における位置ずれは、各色成分の色成分画像がスクリーン３上で適切に重畳しないことにより生じる。
【００３１】
制御部２０は、画像信号処理部２１０と、レジストレーション調整部２２０と、液晶パネル駆動部２３０とを有している。
【００３２】
画像信号処理部２１０は、入力画像信号Dinに対し、画像信号の色温度を調整するホワイトバランス調整といわゆるガンマ補正とを行い、これらの画像処理が行われた画像信号（調整前データ）Ｄ１を生成する機能を有している。これにより、表示画像の画質が向上するような調整がなされるようになっている。
【００３３】
レジストレーション調整部２２０は、スクリーン３上に投射された各原色光Ｒ、Ｇ、Ｂに対応する色成分画像の間で位置ずれが生じた場合に、ユーザーによる表示画像上の操作によって入力された調整値（補正情報）に応じて、そのような位置ずれが低減されるように画像信号Ｄ１を補正して、各原色光Ｒ、Ｇ、Ｂに対応する各色用の画像信号（調整後データ）Ｄ２を生成する。レジストレーション調整部２２０は、生成した画像信号Ｄ２を液晶パネル駆動部２３０へ供給する。このレジストレーション調整部２２０によって行われるレジストレーション調整処理（位置ずれ調整処理）は、各色成分画像の間の位置ずれが低減するように各原色光Ｒ、Ｇ、Ｂに対応する画像信号を補正する処理である。このレジストレーション調整処理により、各色成分画像の間の位置ずれが低減されて各色成分画像が適切に重畳する。レジストレーション調整部２２０は、本発明における表示制御部、及び補正部に相当する。
【００３４】
レジストレーション調整部２２０は、各色成分画像の間の位置ずれによって生じる画質の劣化を、画像信号を補正することによって低減する。具体的に、レジストレーション調整部２２０は、調整前データＤ１によって表される補正前の画像の画素値に基づいて補間処理を行い、調整後データＤ２によって表される補正後の画像の画素値を算出する。ここで、位置ずれの大きさは１画素以上であっても良く（例えば、２画素）、１画素未満（例えば、０．５画素）であっても良い。また、整数と小数の組み合わせで表される大きさ（例えば、１．５画素）であっても良い。なお、このレジストレーション調整部２２０による調整処理の詳細については、後述する。
【００３５】
液晶パネル駆動部２３０は、レジストレーション調整部２２０より供給される調整後データD２に基づいて、液晶パネル１３６Ｒ、１３６Ｇ、１３６Ｂをそれぞれ駆動する。
【００３６】
入力操作部３００は、プロジェクター１の筐体に設けられた複数の操作ボタンを含む。ユーザー５は、入力操作部３００の操作ボタンを操作することで、位置ずれ調整の調整値を入力することができる。レジストレーション調整部２２０は、入力操作部３００を介して入力された調整値に基づいて、レジストレーション調整処理を行う。この入力操作部３００が、補正情報の入力を受け付ける入力部に相当する。なお、プロジェクター１を遠隔操作するリモコン等を用いて調整値を入力する構成であっても良い。この場合、ユーザー５はリモコンに設けられた操作ボタンにより、調整値の入力やプロジェクターの操作を行うことができる。リモコンを用いて調整値を入力可能な場合は、入力操作部３００及びリモコンのいずれも本発明における入力部に相当する。
【００３７】
次に、レジストレーション調整部２２０による調整処理について詳細に説明する。ここで、図２は、レジストレーション調整部２２０による調整処理の一例を流れ図で表したものである。また、図３は、プロジェクター１の使用例を表したものであり、図４〜図７は、図３に示したような使用例におけるレジストレーション調整処理の一例について表したものである。
【００３８】
例えば図３に示したような使用状況の場合には、以下説明するようにしてレジストレーション調整が行われる。例えばプロジェクター１は、図４に示すようなレジストレーション調整画像（位置ずれ調整画像）３２を表示する。レジストレーション調整画像３２は、Ｒ、Ｇ、Ｂの位置ずれを確認するための画像で、例えば図４に示したような格子状の画像である。Ｒ、Ｇ、Ｂの位置ずれを調整しようとする際、ユーザー５は、まずレジストレーション調整画像３２内における、調整したい位置を選択する（図２のステップＳ１０）。このレジストレーション調整画像３２において、格子点（図４の黒丸）はユーザー５が選択できる調整位置を表している。ユーザー５が選択した調整位置は、例えば格子点が矩形で囲まれることにより画面上で示される。ユーザー５は、入力操作部３００のボタンを操作することで表示された矩形を上下左右に移動して、調整対象とする位置を選択することができる。また、矩形が特定の格子点の位置にある状態でユーザー５が入力操作部３００の決定ボタン（不図示）を押下すると、矩形に囲まれている格子点が調整位置Ｐ１として決定される。
【００３９】
図５は、ユーザー５が選択した調整位置Ｐ１における位置ずれの量及び方向が表示された例を示している。ユーザー５が選択した調整位置P１において、例えば図５に示したように、赤色光ラインＬ＿Ｒ、緑色光ラインＬ＿Ｇおよび青色光ラインＬ＿Ｂのうち、緑色光ラインＬ＿Ｇ及び青色光ラインＬ＿Ｂの位置は一致しており、これらに対して赤色光ラインＬ＿Ｒは右方向に０．６画素分、下方向に１．２画素分位置ずれが生じているものとする。
【００４０】
次に、例えば図６に示したレジストレーション調整画像３２上の調整用メニュー画像３２Ｂ（補正情報設定画像）において、ユーザー５によって調整対象（補正対象）となる色（この場合、赤（Ｒ））が選択される（図２のステップＳ１２）。同じく調整用メニュー画像３２Ｂにおいて、ユーザー５によって位置ずれの調整方向（補正方向）、および、調整量（補正量）が設定される（図２のステップＳ１４）。図６の例では、調整方向は上方向及び左方向であり、調整量はそれぞれ上方向に１．２画素、左方向に０．６画素である。調整用メニュー画像３２Ｂは、第１の画像、第２の画像及び第３の画像のいずれかに対する、他の画像の位置ずれを低減させるための補正情報を設定するための画像である。また、補正情報には、調整対象となる色、位置ずれの調整方向及び調整量を特定する情報が含まれる。
【００４１】
ここで、調整用メニュー画像３２Ｂは、調整対象となる色を指定するための第１の領域（図６の「調整色」の項目）、及び調整量及び調整方向を指定するための第２の領域（図６の「調整値」の項目）を含む。また調整用メニュー画像３２Ｂにおいては、調整方向と調整量を、４箇所に配置された数値（図６の「調整値」の項目に配置された数値）によって表す。「調整値」の項目には、それぞれ異なる位置に４つの数値が配置されている。これらの４つの数値のうち、第１の数値は他の数値よりも上方にあり、第２の数値は他の数値よりも下方にある。また、第３の数値は他の数値よりも右方にあり、第４の数値は他の数値よりも左方にある。これらの数値の配置される位置は位置ずれの調整方向を表し、数値が示す値は位置ずれの調整量を表す。例えば図６に示した例では、４箇所に配置された数値のうち、最も上方に配置された第１の数値には１．２、最も左方に配置された第４の数値には０．６が設定される。また、最も下方に配置された第２の数値、及び最も右方に配置された第３の数値には０が設定される。これは上方向に１．２画素、左方向に０．６画素の調整を行うことを示している。換言すると、「調整値」の項目におけるある数値の、他の数値に対する相対的な位置（例えば、第１の数値の場合は上方）が、位置ずれの調整方向を表している。
【００４２】
選択された調整位置における調整値の設定が終了すると、レジストレーション調整部２２０は、このような選択処理及び指定処理が完了したか否かを判断する（図２のステップＳ１６）。ユーザー５により、まだ完了していない旨の指示がなされた場合には（図２のステップＳ１６：Ｎ）、ステップＳ１０へと戻って再びステップＳ１０〜Ｓ１４の選択処理及び指定処理を繰り返す。一方、ユーザー５により、選択処理及び指定処理が完了した旨の指示がなされた場合には（図２のステップＳ１６：Ｙ）、次に、選択及び指定された内容に基づいて実際のレジストレーション調整処理が行われる（図２のステップＳ１８）。そして全体の調整処理を終了するか否かの判断がレジストレーション調整部２２０によりなされ（図２のステップＳ２０）、ユーザー５によって全体調整処理をまだ終了しない旨の指示がなされた場合には（図２のステップＳ２０：Ｎ）、ステップＳ１０へと戻って再びステップＳ１０〜Ｓ１８の処理を繰り返す。一方、例えば、画面全体にわたって、図７に示したように赤光ラインＬ＿Ｒの位置ずれによる色ずれが低減（解消）された場合には、ユーザー５によって全体の調整処理を終了する旨の指示がなされ（図２のステップＳ２０：Ｙ）、全体の調整処理が終了となる。
【００４３】
このようにしてレジストレーション調整部２２０は、スクリーン３上に投射された各原色光Ｒ、Ｇ、Ｂ間で位置ずれが生じた場合に、ユーザー５によって入力された調整値等に応じてそのような位置ずれが低減されるように各原色光Ｒ、Ｇ、Ｂに対応する各色用の画像信号Ｄ１の補正を行い（レジストレーション調整を行い）、補正後の画像信号Ｄ２が液晶パネル１３６Ｒ，１３６Ｇ，１３６Ｂへ供給される。これにより、各原色光Ｒ、Ｇ、Ｂ間の位置ずれによる色ずれの発生が抑えられ、表示画質が向上する。なおこの補正は、位置ずれの原因となる色成分の光に対応する、少なくとも１つの画像信号について行えば良い。例えば本実施形態においては、赤色成分の光が位置ずれの原因となっているため、赤色成分に対応する画像信号について補正を行っている。
このように、レジストレーション調整部２２０は、第１の画像、第２の画像又は第３の画像のいずれか（例えば、第１の画像）に対する、他の画像（例えば、第２の画像）の位置ずれを低減させるための補正情報を設定するための補正情報設定画像を表示させる表示制御部として機能する。またレジストレーション調整部２２０は、補正情報に基づいて、第１の画像、第２の画像又は第３の画像のいずれか（例えば、第１の画像）に対する、他の画像（例えば、第２の画像）の位置ずれが低減されるように、当該他の画像に対応する画像信号（例えば、第２の画像信号）の補正を行い、補正後の画像信号を当該他の画像に対応する光変調装置（例えば、第２の光変調装置）へ供給する補正部として機能する。
【００４４】
（第２実施形態）
以下、第２実施形態のプロジェクターについて、図面を参照して説明する。
第１実施形態では、プロジェクター１からスクリーン３上に投射された画像（表示画像３１）を、ユーザー５が、スクリーン３に対してプロジェクター１と同じ側から観賞する態様を示した。これに対して本実施態様では、プロジェクター１Ａからスクリーン３上に投射された画像（表示画像３３）を、ユーザー５がスクリーン３に対してプロジェクター１Ａと反対側から観賞するようになっている。
【００４５】
例えば図８に示したように、プロジェクター１Ａからスクリーン３上に投射された画像（表示画像３３）を、ユーザー５が、スクリーン３に対してプロジェクター１Ａと反対側から見るような使用状況の場合には、ユーザー５はそのままでは正常な向きの画像を見ることができない（投射された画像は、水平方向に沿って逆向きの画像となる）。このような場合でもユーザー５が適切に画像を鑑賞することができるように、本実施形態では、画像信号処理部２１０が水平方向の画像反転処理を行うことができる構成となっている。より具体的に、本実施形態において、ユーザー５は、例えば図１３から図１４に示したようなメニュー画面において、水平方向の画像反転機能を「ＯＮ」にするような操作入力を行うことができる。この画像反転処理により、例えば図８の表示画像３３を表す入力画像信号Ｄinに対して、水平方向の画像反転処理がなされ、図９の表示画像３４に示したような画像に変換される。この画像反転処理が行われることで、ユーザー５は正常な向きの画像を見ることができるようになる。
以下では、本実施形態における、レジストレーション調整部２２０による調整処理について詳細に説明する。ここで、図１０から図１４は、図９に示したような使用例におけるレジストレーション調整処理の一例の中で、ユーザー５の方向から見える画像を表したものである。
【００４６】
例えばプロジェクター１Ａは、図１０に示すようなレジストレーション調整画像（位置ずれ調整画像）３５を表示する。ユーザー５は、レジストレーション調整画像３５が表示された状態で、調整対象とする位置を選択する（図２のステップＳ１０）。例えば、図１０の調整位置Ｐ２を、ユーザー５が選択した調整位置とする。調整位置Ｐ２は、第１実施形態においてユーザー５が選択した調整位置Ｐ１（図４）の水平方向の画像反転後の位置に対応する。この場合、水平方向の画像反転を行っているため、図１１に示したように、赤色光ラインＬ＿Ｒ、緑色光ラインＬ＿Ｇおよび青色光ラインＬ＿Ｂのうち、緑色ラインＬ＿Ｇ及び青色光ラインＬ＿Ｂの位置は一致しており、これらに対して赤色光ラインＬ＿R は、左方向に０．６画素分、下方向に１．２画素分位置ずれが生じている。
【００４７】
まず、例えば図１２に示したようなレジストレーション調整画像３５上の調整用メニュー画像３５Ｂ（補正情報設定画像）において、ユーザー５によって調整対象となる色（この場合、赤（Ｒ））が選択される（図２のステップＳ１２）。同じく調整用メニュー画像３５Ｂにおいて、ユーザー５によって位置ずれの調整方向、および調整量が設定される（この場合、調整方向は上方向及び右方向であり、調整量は上方向に１．２画素、右方向に０．６画素）（図２のステップＳ１４）。ここで、調整用メニュー画像３５Ｂにおいては、第１実施形態と同様に、調整方向と調整量を、４箇所に配置された数値とその位置によって表す。数値は上下左右の４箇所に配置され、数値の配置される位置が調整方向を表し、数値が調整量を表す。例えば今回の例では、４箇所に配置された数値のうち、上に配置された数値には１．２、右に配置された数値には０．６が設定される。そして、設定された位置ずれの調整方向及び調整量に基づいて、レジストレーション調整部２２０が位置ずれ調整処理を行う。
【００４８】
実施形態１では、図３に示すように、ユーザー５が確認できる位置ずれ補正の調整方向とプロジェクター１の位置ずれ補正の調整方向は一致する。しかし、本実施形態では、図９に示すように、ユーザー５が確認できる位置ずれ補正の調整方向とプロジェクター１の位置ずれ補正の調整方向は水平方向に沿って逆になってしまう。これは、画像反転処理を実行している場合においても、各原色光Ｒ、Ｇ、Ｂ間での位置ずれによる色ずれの方向は、色ずれがハードウェア上のものであることから、画像反転をする前と変わらないためである。
【００４９】
本実施の形態の液晶プロジェクター１では、例えば図１２に示したレジストレーション調整画像３５上の調整用メニュー画像３５Ｂのように、調整方向と調整量を４箇所に配置された数値によって表す。数値は上下左右の４箇所に配置され、数値が配置される位置が調整方向を表し、数値が調整量を表す。これにより、例えば図１２に示したように、レジストレーション調整画像３５上でユーザー５から見える調整方向と、プロジェクター１の位置ずれ補正の調整方向と、上記調整用メニュー画像３5Ｂで調整量の数値が配置される位置の方向とが水平方向で一致するため、表示画像内で画像反転がなされるような使用状況（この場合、水平方向の画像反転がなされる使用状況）であっても、レジストレーション調整の際に、ユーザー５による調整値の入力操作が容易となる。
【００５０】
（第３実施形態）
以下、第３実施形態のプロジェクターについて、図面を参照して説明する。
第３実施形態においては、プロジェクター１Ｂが、第１実施形態に係るプロジェクター１を９０度回転させたような状態で画像を投射するものとする。
【００５１】
例えば図１５に示したように、プロジェクター１Ｂは、第１実施形態に係るプロジェクター１を９０度回転させたような状態で設置されている。この使用状況では、ユーザー５は、スクリーン３上に９０度回転して投射された画像（表示画像３６）を見ることとなる。従ってユーザー５は、そのままでは正常な向きの画像を見ることができない（９０度回転した画像を見ることになる）。このような場合でもユーザー５が適切に画像を鑑賞することができるように、本実施形態では、プロジェクター１Ｂが表示する表示画像３７の縦と横の比率が、プロジェクター１Ｂを回転しないで設置する使用状況（図３の使用状況）で表示される画像の横と縦の比率と一致するように、画像信号処理部２１０が９０度の画像回転処理を行うことができる構成となっている。より具体的に、本実施形態において、ユーザー５は、例えば図２０から図２１に示したような調整用メニュー画像において、画像回転機能を「９０°」にするような操作入力を行うことができる。この画像回転処理により、例えば図１５の表示画像３６に示した表示となる入力画像信号Ｄｉｎは、縦と横の比率の変更と水平方向の画像反転処理がなされ、図１６の表示画像３７に示したような画像に変換される。この画像反転処理が行われることで、ユーザー５は正常な向きの画像を見ることができるようになる。
以下では、本実施形態における、レジストレーション調整部２２０による調整処理について詳細に説明する。
【００５２】
例えばプロジェクター１Ｂは、図１７に示すようなレジストレーション調整画像（位置ずれ調整画像）３８を表示する。ユーザー５は、レジストレーション調整画像３８が表示された状態で、調整対象とする位置を選択する（図２のステップＳ１０）。例えば、図１７の調整位置Ｐ３を、ユーザー５が選択した調整位置とする。調整位置Ｐ３は、第１実施形態においてユーザー５が選択した調整位置Ｐ１（図４）の９０度の画像回転後の位置に対応する。この場合には９０度の画像回転を行っているため、図１８に示したような、赤色光ラインＬ＿Ｒ、緑色光ラインＬ＿Ｇおよび青色光ラインＬ＿Ｂのうち、緑色ラインＬ＿Ｇ及び青色ラインＬ＿Ｂの位置は一致しており、これらに対して赤色光ラインＬ＿Rは、左方向に１．２画素分、下方向に０．６画素分位置ずれが生じている。
【００５３】
まず、例えば図１９に示したようなレジストレーション調整画像３８上の調整用メニュー画像３８Ｂ（補正情報設定画像）において、ユーザー５によって調整対象となる色（この場合、赤（Ｒ））が選択される（図２のステップＳ１２）。同じく調整用メニュー画像３８Ｂにおいて、ユーザー５によって位置ずれの調整方向、および調整量が設定される（この場合、調整方向は上方向及び右方向であり、調整量は上方向に０．６画素、右方向に１．２画素）（図２のステップＳ１４）。ここで、調整用メニュー画像３８Ｂにおいては、第１実施形態と同様に、調整方向と調整量を４箇所に配置された数値とその位置によって表す。数値は上下左右の４箇所に配置され、数値が配置される位置が調整方向を表し、数値が調整量を表す。例えば今回の例では、４箇所に配置された数値のうち、上に配置された数値には０．６、右に配置された数値には１．２が設定される。そして、設定された位置ずれの調整方向及び調整量に基づいて、レジストレーション調整部２２０が位置ずれ調整処理を行う。
【００５４】
実施形態１では、図３に示すように、ユーザー５が確認できる位置ずれ補正の調整方向とプロジェクター１の位置ずれ補正の調整方向は一致する。しかし、本実施形態では、図１５に示すように、ユーザー５が確認できる位置ずれ補正の調整方向とプロジェクター１の位置ずれ補正の調整方向は水平方向と垂直方向が入れ替わってしまう。これは、画像回転処理を実行している場合においても、各原色光Ｒ ，Ｇ、Ｂ間での位置ずれによる色ずれの方向は、色ずれがハードウェア上のものであることから、画像回転をする前と変わらないためである。
【００５５】
本実施の形態のプロジェクター１Ｂでは、例えば図１９に示した表示画像（レジストレーション調整画像３８）上の調整用メニュー画像３８Ｂのように、調整方向と調整量を４箇所に配置された数値によって表す。数値は上下左右の４箇所に配置され、数値が配置される位置が調整方向を表し、数値が調整量を表す。これにより、例えば図１９に示したように、表示画像（レジストレーション調整画像３８）上でユーザー５から見える調整方向と、プロジェクター１Ｂの位置ずれ調整の調整方向と、上記調整用メニュー画像３８Ｂで調整量の数値が配置される位置の方向とが一致することになるため、表示画像内で画像回転がなされるような使用状況（この場合、９０度の画像回転がなされる使用状況）であっても、レジストレーション調整の際に、ユーザー５による調整値の入力操作が容易となる。
【００５６】
（第４実施形態）
第１実施形態では、レジストレーション調整の際、調整用メニュー画像をレジストレーション調整画像上の画面中央付近に１箇所表示し、その中に調整色、および、調整値を表示していたが、本発明はこれに限定されるものではない。
本発明に係る第４実施形態における投射型表示装置の構成は、第１実施形態と同様であるため、詳細な説明を省略するが、第４実施形態では、上記調整用メニュー画像をユーザー５が選択した調整対象とする位置の近傍に表示する。さらに、現在の調整対象とする位置に調整用メニュー画像を表示するだけでなく、それまでに調整対象とした位置の近傍にも、その位置に対応する調整色、および、調整値を表示する。
【００５７】
第４実施形態における、レジストレーション調整部２２０による調整処理について詳細に説明する。
例えば第１実施形態の図３に示したような使用状況の場合には、以下説明するようにしてレジストレーション調整が行われる。例えば図２２に示したレジストレーション調整画像３９を表示する。ユーザー５は、調整対象とする位置を選択する（図２のステップＳ１０）。ユーザー５が選択した調整位置は、例えば格子点が矩形で囲まれることにより示される。ユーザー５は、表示された矩形を上下左右に移動して、調整対象とする位置を選択する。ユーザー５が選択した調整位置Ｐ４において、例えば図５に示したように、赤色光ラインＬ＿Ｒ、緑色光ラインＬ＿Ｇおよび青色光ラインＬ＿Ｂのうち、赤色光ラインＬ＿Ｒが右方向に０．６画素分、下方向に１．２画素分位置ずれが生じているものとする。
【００５８】
ここで、ユーザー５が調整対象とする位置を選択すると、選択された位置の近傍に例えば図２２に示した調整用メニュー画像３９Ａ（補正情報生成画像）が表示される。ここで、選択された位置の近傍とは、レジストレーション調整画像３９において、ユーザー５が選択した調整位置（例えばこの例では調整位置Ｐ４）と、選択された調整位置（調整位置Ｐ４）に隣接する選択可能な調整位置（図２３の格子点ＰＲ）の間の領域であることが望ましい。
【００５９】
次に、例えば図２３に示した調整画面３９上の調整用メニュー画像３９Ｂ（補正情報生成画像）において、ユーザー５によって調整対象となる色（この場合、赤（Ｒ））が選択される（図２のステップＳ１２）。同じく調整用メニュー画像３９Ｂにおいて、ユーザー５によって調整方向、および、調整量が設定される（この場合、調整方向は上方向及び左方向であり、調整量は上方向に１．２画素、左方向に０．６画素）（図２のステップＳ１４）。ここで、調整用メニュー画像３９Ｂにおいては、調整方向と調整量を４箇所に配置された数値によって表す。数値は上下左右の４箇所に配置され、数値の配置される位置が調整方向を表し、数値が調整量を表す。例えば今回の例では、４箇所に配置された数値のうち、上に配置された数値には１．２、左に配置された数値には０．６が設定される。
選択された調整位置の調整値の設定が終了すると、例えば図２４に示された調整画像３９上の調整用メニュー画像３９Ｂに、この調整位置に対応する調整色、および、調整値が表示される。
【００６０】
次に、レジストレーション調整部２２０では、このような選択処理及び指定処理が完了したか否かを判断する（図２のステップＳ１６）。ユーザー５により、まだ完了していない旨の指示がなされた場合には（図２のステップＳ１６：Ｎ）、ステップＳ１０へと戻って再びステップＳ１０〜Ｓ１４の選択・指定処理を繰り返す。
ユーザー５は、次の調整対象とする位置を選択する（図２のステップＳ１０）。図２４に示されるように、ユーザー５が選択した調整位置Ｐ５は、例えば格子点が矩形で囲まれることにより示される。
ユーザー５が調整対象とする位置を選択すると、例えば図２４に示すように選択された調整位置Ｐ５の近傍に調整用メニュー画像３９Ｃ（補正情報生成画像）が新たに表示される。ユーザー５が選択した調整位置Ｐ５において、赤色光ラインＬ＿Ｒ、緑色光ラインＬ＿Ｇおよび青色光ラインＬ＿Ｂのうち、緑色ラインＬ＿Ｇ及び青色ラインＬ＿Ｂの位置は一致しており、これらに対して赤色光ラインＬ＿Ｒ が左方向に０．４画素分、下方向に０．６画素分位置ずれが生じているものとする。
【００６１】
次に、例えば図２４に示した調整用メニュー画像３９Ｃにおいて、ユーザー５によって調整対象となる色（この場合、赤（Ｒ））が選択される（図２のステップＳ１２）。同じく調整用メニュー画像３９Ｃにおいて、ユーザー５によって調整方向、および、調整量が設定される（図２のステップＳ１４）。例えば今回の例では、４箇所に配置された数値の内、上に配置された数値には０．６、右に配置された数値には０．４が設定される。
【００６２】
さらに、ユーザー５により、まだ、このような選択処理及び指定処理が完了していない旨の指示がなされた場合には（図２のステップＳ１６：Ｎ）、ステップＳ１０へと戻って再びステップＳ１０〜Ｓ１４の選択・指定処理を繰り返す。例えば、図２５に示すように、次に調整対象とする位置Ｐ６の選択、調整用メニュー画像３９Ｄ（補正情報生成画像）において調整色、調整方向、調整量が設定される。
【００６３】
一方、ユーザー５により、完了した旨の指示がなされた場合には（図２のステップＳ１６：Ｙ）、次に、選択及び指定された内容に基づいて実際のレジストレーション調整処理が行われる（図２のステップＳ１８）。そして全体の調整処理を終了するか否かの判断がレジストレーション調整部２２０によりなされ（図２のステップＳ２０）、ユーザー５によって全体調整処理をまだ終了しない旨の指示がなされた場合には（図２のステップＳ２０：Ｎ）、ステップＳ１０へと戻って再びステップＳ１０〜Ｓ１８の処理を繰り返す一方、例えば、画面全体にわたって、図７に示したように赤光ラインＬ＿Ｒの位置ずれによる色ずれが低減（解消）された場合には、ユーザー５によって全体の調整処理を終了する旨の指示がなされ（図２のステップＳ２０：Ｙ）、全体の調整処理が終了となる。
【００６４】
本実施の形態のプロジェクター１では、例えば図２５に示した位置ずれ調整画像３９上の調整用メニュー画像３９Ｂのように、調整方向と調整量を４箇所に配置された数値によって表す。さらに、調整用メニュー画像は、調整対象とする位置の近傍に表示されるため、ユーザー５は調整用メニュー画像の中に表示された調整色、および、調整値が対象としている調整位置を簡単に対応付けることができる。
また、調整用メニュー画像は、ユーザー５が調整を行った１箇所以上の調整点にそれぞれ表示される。これによって、ユーザー５は既に選択及び指定が終了している調整対象の調整位置、調整色、および、調整値を参照しながら、効率的に新しい調整対象の選択・指定を行うことができ、ユーザー５による調整値の入力操作が容易となる。
【００６５】
（変形例）
また、上記実施形態は、以下のように変更してもよい。
【００６６】
上記実施形態のプロジェクターでは、光変調装置として、透過型の液晶パネルを用いているが、反射型の液晶パネル等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６７】
上記実施形態のプロジェクターでは、光変調装置である液晶パネルを３つ用いているが、光変調装置の数はこれに限られない。プロジェクターが備える光変調装置の数は２つでも良く、４つ以上であっても良い。プロジェクターが備える光変調装置の数が２つ以上であれば、各光変調装置が対応する色成分画像の間で生じる位置ずれを低減するために本発明を適用することが可能である。
【符号の説明】
【００６８】
１…プロジェクター、３…スクリーン、５…ユーザー、１０…画像表示部、２０…制御部、１１０…光源装置、１１２…光源、１１４…１対のレンズアレイ、１１６…重畳レンズ、１２０…光変調部、１２２、１２４…ダイクロイックミラー、１２６、１２８、１３０…反射ミラー、１３２、１３４…リレーレンズ、１３６Ｒ、１３６Ｇ、１３６Ｂ…液晶パネル、１３８…ダイクロイックプリズム、１４０…投射光学系、２１０…画像信号処理部、２２０…レジストレーション調整部、２３０…液晶パネル駆動部、Ｄｉｎ…入力画像信号、Ｄ１…画像信号（調整前）、Ｄ２…画像信号（調整後）、Ｒ…赤色光、Ｇ…緑色光、Ｂ…青色光。
【図１】
2013105170.tif 000003
【図２】
2013105170.tif 000004
【図３】
2013105170.tif 000005
【図４】
2013105170.tif 000006
【図５】
2013105170.tif 000007
【図６】
2013105170.tif 000008
【図７】
2013105170.tif 000009
【図８】
2013105170.tif 000010
【図９】
2013105170.tif 000011
【図１０】
2013105170.tif 000012
【図１１】
2013105170.tif 000013
【図１２】
2013105170.tif 000014
【図１３】
2013105170.tif 000015
【図１４】
2013105170.tif 000016
【図１５】
2013105170.tif 000017
【図１６】
2013105170.tif 000018
【図１７】
2013105170.tif 000019
【図１８】
2013105170.tif 000020
【図１９】
2013105170.tif 000021
【図２０】
2013105170.tif 000022
【図２１】
2013105170.tif 000023
【図２２】
2013105170.tif 000024
【図２３】
2013105170.tif 000025
【図２４】
2013105170.tif 000026
【図２５】
2013105170.tif 000027